(57)【要約】【課題】  初筆時に塗布液がチップの先端からスムーズに、かつ十分に吐出する塗布具を提供する。【解決手段】  先端の中心孔に球状塗布体３１を回転自由に抱持したチップ３０を嵌着し、この中心孔に連通する押出し管２２を有する先口２０を軸筒１０の先端開口に取り付け、この押出し管の尾端縁から軸線方向に１又は２以上の切欠き部２３を形成し、先端開口が詰め栓で封止されて内部に塗布液が充填された塗布液タンクを軸筒内に収容し、初筆時において軸筒の尾端開口から突出する塗布液タンクの尾端部を押し込むと、押出し管によって塗布液タンクの詰め栓４２が後退して先端開口の封止が解除され、塗布液タンク内の塗布液が押出し管の尾端開口および切欠き部を通ってチップに供給されるようにする。また、押出し管の切欠き部が形成された部分の内周面に円環部２４を形成する。【選択図】  図１
2005125578.tif 000002
【特許請求の範囲】
【請求項１】
先端の中心孔に球状塗布体を回転自由に抱持したチップが嵌着され、該中心孔に連通する押出し管を有する先口が軸筒の先端開口に取り付けられ、該押出し管の尾端縁から軸線方向に１又は２以上の切欠き部が形成され、
先端開口が詰め栓で封止されて内部に塗布液が充填された塗布液タンクが、該先端開口が該押出し管に仮止めされた状態で軸筒内に収容されてなり、
初筆時において軸筒の尾端開口から突出する塗布液タンクの尾端部を押し込むと、押出し管によって該塗布液タンクの詰め栓が後退して先端開口の封止が解除され、かつ該切欠き部が塗布液タンク内に位置し、塗布液タンク内の塗布液が押出し管の尾端開口および該切欠き部を通ってチップに供給されて塗布可能となることを特徴とする塗布具。
【請求項２】
前記押出し管の切欠き部が形成された部分の内周面に円環部が形成されたことを特徴とする請求項１記載の塗布具。
【発明の詳細な説明】
【技術分野】
【０００１】
本発明は、修正液や化粧液など、顔料が溶媒内に分散した粘度の高い塗布液が充填された塗布具に関するものである。
【背景技術】
【０００２】
塗布体が球状の塗布具は、筆記具の軸筒に相当する塗布液タンク内に顔料が溶媒内に分散した粘度の高い塗布液が充填されており、この塗布液タンクの先端に直接あるいは先口を介してチップが取り付けられいる。そして、ボールペンと同様に、チップの先端からその一部が先端から臨出した状態で球状塗布体が回転自由に抱持されている。この球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
塗布液タンクに充填された造膜性の塗布液は、顔料が溶媒内に分散したものであるので、長時間放置しておくと、顔料が溶媒と分離して沈降する。このため、塗布液タンク内に球状や棒状の撹拌部材を配置し、使用に先だって、塗布具を振って上下動する撹拌部材で塗布液を撹拌し、分離した顔料を溶媒に分散させる必要がある。
【発明の開示】
【発明が解決しようとする課題】
【０００５】
直径がφ１ｍｍ程度の球状塗布体を回転自由に抱持したチップは外径がφ３ｍｍ程度であり、このチップか軸筒や先口先端の中心孔の中腹部まで嵌着されている。従って、先口の中心孔の内径もφ３ｍｍ程度である。一方、塗布液タンクの内径はφ８ｍｍ程度であり、塗布液タンク内に配置された撹拌子の外径はφ６ｍｍ程度である。このため、塗布具を上下に振っても、撹拌子は先口の中心孔内に侵入しないので、先口の中心孔のチップが嵌着されていない部分に沈降した顔料を撹拌することができない。
【０００６】
ところで、塗布具が製造されてからユーザーの手に渡るまでに長期間経過することがあり、この場合はチップ内において塗布液の顔料が沈降する可能性が高い。このように、チップ内において塗布液の顔料が沈降すると、顔料が沈降した塗布液を撹拌できないために、ユーザーが最初に使用するとき（初筆時）に塗布液がチップ先端からスムーズに、かつ十分に吐出しない不具合がある。
【０００７】
そこで本発明は、初筆時に塗布液がチップの先端からスムーズに、かつ十分に吐出する塗布具を提供することを目的とする。
【課題を解決するための手段】
【０００８】
かかる目的を達成するために、請求項１の発明は、先端の中心孔に球状塗布体を回転自由に抱持したチップを嵌着し、この中心孔に連通する押出し管を有する先口を軸筒の先端開口に取り付け、この押出し管の尾端縁から軸線方向に１又は２以上の切欠き部を形成し、先端開口が詰め栓で封止されて内部に塗布液が充填された塗布液タンクを、この先端開口が押出し管に仮止めされた状態で軸筒内に収容し、初筆時において軸筒の尾端開口から突出する塗布液タンクの尾端部を押し込むと、押出し管によって塗布液タンクの詰め栓が後退して先端開口の封止が解除され、かつ押出し管の切欠き部が塗布液タンク内に位置し、塗布液タンク内の塗布液が押出し管の尾端開口および切欠き部を通ってチップに供給されるようにする。
また、請求項２に発明は、請求項１の発明において、押出し管の切欠き部が形成された部分の内周面に円環部を形成する。
【発明の効果】
【０００９】
初筆時において軸筒の尾端開口から突出する塗布液タンクの尾端部を押し込むと、押出し管によって塗布液タンクの詰め栓が後退して先端開口の封止が解除され、塗布液タンク内の塗布液が初めてチップに供給されるので、初筆時に塗布液がチップの先端からスムーズに吐出する。そして、押出し管の尾端開口の内部には球状塗布体を弾発するスプリングが存在するので、この尾端開口の有効面積はそれだけ小さくなり、したがって、塗布液の尾端開口通過可能量はあまり多くないが、押出し管の尾端縁から軸線方向に１又は２以上の切欠き部が形成されているので、塗布液タンク内の塗布液が押出し管の尾端開口のみならず、この切欠き部をも通ってチップに供給されるので、塗布液を十分に吐出することができる。
【００１０】
また、押出し管の切欠き部が形成された部分の内周面に円環部を形成すると、この円環部が球状塗布体を弾発するスプリングのばね受け部となるとともに、塗布液タンクを押し出し管に仮止めしたときに、押し出し管の尾端部が径方向に縮径するのを防止でき、塗布液タンクを確実に仮止めすることができる。
【発明を実施するための最良の形態】
【００１１】
初筆時に塗布液がチップの先端からスムーズに、かつ十分に吐出する目的を、  初筆時において軸筒の尾端開口から突出する塗布液タンクの尾端部を押し込むと、押出し管によって塗布液タンクの詰め栓が後退して先端開口の封止が解除され、塗布液タンク内の塗布液が初めてチップに供給されるようにするとともに、押出し管の尾端縁から軸線方向に１又は２以上の切欠き部を形成する簡単な構造で実現した。
【実施例１】
【００１２】
以下に、図面に基づいて本発明の実施の形態を具体的に説明する。図１は塗布具が出荷される前の状態を示す断面図であるが、図１において、軸筒１０は、合成樹脂、例えばナイロンやＰＢＴなどで成形されたものであり、肉厚は０．５〜１．０ｍｍの範囲の薄肉なものであり、例えば０．６ｍｍである。軸筒１０の尾端開口１１近傍内面に内段１２が形成されている。軸筒１０の先端開口には先口２０が取り付けられている。なお、軸筒１０と先口２０を一体に成形したものであってもよい。先口２０の中心孔２１にチップ３０が嵌着されている。また、先口２０内部には尾端側に突出する筒状の押出し管２２が形成されており、押出し管２２の内面は中心孔２１に連通している。次に、図４に示すように、押出し管２２の尾端縁から軸線方向に２個の切欠き部２３が形成されている。この切欠き部２３は２個である必要はない。そして、押出し管２２の切欠き部２３が形成された部分の内周面に円環部２４が形成されている。この円環部２４は、次に説明するスプリング３２の初筆時以降におけるばね受けの役目もする。また、不使用時には、先口２０にキャップ５０が嵌着される。
【００１３】
チップ３０は、ステンレスにて砲弾型に形成されており、チップ３０先端のボールハウスに、直径が例えばφ１．０ｍｍの超硬ボールからなる球状塗布体３１がその一部がチップ３０の先端から臨出した状態で回転自由に抱持されたボールペンタイプである。なお、チップ３０は金属パイプからなるものであってもよい。そして、チップ３０内には、質量の小さなスプリング３２が配置されており、このスプリング３２が球状塗布体３１を弾発してチップ３０の内向きの先端縁に圧接している。つまり、球状塗布体３１とチップ３０の先端縁とで弁機構を構成し、不使用時に塗布液がチップ３０の先端から吐出しないようになっている。
【００１４】
塗布液タンク４０は、軸筒１０と同じく、合成樹脂、例えばナイロンやＰＢＴなどで有底筒状に成形されたものであり、肉厚は０．５〜１．０ｍｍの範囲の薄肉なものであり、例えば０．６ｍｍである。塗布液タンク４０の先端部には先端開口部材４１が嵌着されており、金属球からなり、攪拌子を兼ねる詰め栓４２が先端開口部材４１先端部分の封止部４１ａに圧入されている。つまり、塗布液タンク４０の先端開口は詰め栓４２によって封止されている。この封止部４１ａの先端部分が内径が封止部４１ａよりも小径の嵌着部４１ｂである。そして、塗布液タンク４０内には、例えば粘度が３０〜４０ｃｐｓであって、溶媒に顔料が分散した造膜性の高い修正液である塗布液（図示せず）が充填されている。塗布液内には金属棒からなる２個の攪拌子４３が配置されている。また、塗布液タンク４０の尾端部には外段４９が形成されている。
【００１５】
かかる塗布液タンク４０が軸筒１０内に配置されており、嵌着部４１ｂが押出し管２２の尾端部に嵌着されて仮止めされるとともに、外段４９が軸筒１０の内段１２に当接して塗布液タンク４０が軸筒１０から抜け落ちないようになっている。したがって、出荷時においては、押出し管２２の尾端部は塗布液タンク４０の封止部４１ａ内には入り込んでおらず、詰め栓４２は封止部４１ａに圧入された状態であり、塗布液タンク４０は開封されていない。つまり、チップ３０内には、塗布液は存在しない。ここで、押出し管２２の切欠き部２３が形成された部分の内周面に円環部２４が形成されているので、嵌着部４１ｂを押出し管２２の尾端部に嵌着したときに、押出し管２２の尾端部は縮径せず、確実に仮止めできる。
【００１６】
しかして、最初の使用に際してユーザーは、図２に示すように、軸筒１０の尾端開口１１から突出した塗布液タンク４０の尾端部４０ａを押し込むと、塗布液タンク４０が前進し、押出し管２２が封止部４１ａに大きく入り込む。これにより、押出し管２２の尾端面が詰め栓４２を塗布液タンク４０内に押しやり、塗布液タンク４０の先端開口は開封される。このとき、図３に示すように、塗布液タンク４０の嵌着部４０ｂは押出し管２２の切欠き部２３が形成されていない部分に嵌着する。そして、封止部４１ａの内径は嵌着部４１ｂよりも大径であるので、切欠き部２３は塗布液タンク４０内に露出することになる。従って、塗布液タンク４０内の塗布液は、スプリング３２が存在するためにそれだけ有効面積が小さくなっている押出し管２２の尾端開口のみならず、切欠き部２３からも押出し管２２内に浸入し、先口２０の中心孔２１を通ってチップ３０内に供給される。したがって、初筆時において塗布液がチップ３０先端からスムーズに、かつ十分に吐出する。そして、塗布液タンク４０内に押しやられた詰め栓４２は攪拌子として働く。
【図面の簡単な説明】
【００１７】
【図１】出荷時の状態を示す断面図である。
【図２】使用開始時の状態を示す正面図である。
【図３】図２の要部の拡大図である。
【図４】押出し管の斜視図である。
【符号の説明】
【００１８】
１０    軸筒
１１    軸筒の尾端開口
１２    内段
２０    先口
２１    先口の中心孔
２２    押出し管
２３    切欠き部
２４    円環部
３０    チップ
３１    球状塗布体
３２    スプリング
４０    塗布液タンク
４０ａ  塗布液タンクの尾端部
４１    先端開口部材
４１ａ  封止部
４１ｂ  嵌着部
４２    詰め栓
４３    攪拌子
４９    外段
５０    キャップ
【図１】
2005125578.tif 000003
【図２】
2005125578.tif 000004
【図３】
2005125578.tif 000005
【図４】
2005125578.tif 000006